(57)【要約】【課題】コストアップを避けるとともに小薄化を容易に実現することができ、さらに商品価値を高める。【解決手段】開示される電子機器の入力装置の放熱構造は、基板３上に設けられた固定接点（第１の導電層）１と非接触に対向して可動接点（第２の導電層）４が内面に設けられた可撓性絶縁シートから構成されるクリック板シート５と、クリック板シート５の外面に配置されてクリック板シート５を押圧するためのキートップ８とを有する構成において、キートップ８の表面側（操作面側）には、膜厚が０．５〜５．０μｍのＡｌあるいはＡｌを主成分とする放熱層９と、この放熱層９を覆うようにキートップ８に飾りを施すための膜厚が８〜１２μｍの加飾層１０とが積層して形成されている。【選択図】      図２
2004311332.tif 000002
【特許請求の範囲】
【請求項１】
基板上に設けられた第１の導電層と非接触に対向して第２の導電層が内面に設けられた可撓性絶縁シートから構成されるクリック部材と、該クリック部材の外面に配置されて前記クリック部材を押圧して前記第１の導電層と前記第２の導電層とを電気的に接触させるためのキートップとを有する電子機器の入力装置の放熱構造であって、
前記キートップには、前記電子機器の動作中に発生した熱を放熱するための放熱層と、前記キートップに飾りを施すための加飾層とが積層して形成されていることを特徴とする電子機器に入力装置の放熱構造。
【請求項２】
基板上に設けられた第１の導電層と非接触に対向して第２の導電層が内面に設けられた可撓性絶縁シートから構成されるクリック部材と、該クリック部材の外面に配置されて前記クリック部材を押圧して前記第１の導電層と前記第２の導電層とを電気的に接触させるためのキートップとを有する電子機器の入力装置の放熱構造であって、
上面に前記第１の導電層が設けられるとともに複数の電子部品が実装された前記基板と、
前記基板上に接着されるとともに内面に前記第２の導電層が接着され、クリック動作可能に外面に突起部を備えた前記クリック部材と、
前記クリック部材上に配置されて内面に前記突起部を押圧するための凸部を備えた弾力性のある絶縁性支持シートと、
前記電子機器の動作中に発生した熱を放熱するための放熱層と、前記キートップに飾りを施すための加飾層とが積層して形成され、前記クリック部材を押圧するための前記キートップと、
を有することを特徴とする電子機器の入力装置の放熱構造。
【請求項３】
前記放熱層及び前記加飾層が、前記キートップの表面側に前記放熱層が前記キートップに接するように積層して形成されていることを特徴とする請求項１又は２記載の電子機器の入力装置の放熱構造。
【請求項４】
前記キートップが、透明材料から成ることを特徴とする請求項１又は２記載の電子機器の入力装置の放熱構造。
【請求項５】
前記放熱層及び前記加飾層が、前記キートップの裏面側に前記加飾層が前記キートップに接するように積層して形成されていることを特徴とする請求項４記載の電子機器の入力装置の放熱構造。
【請求項６】
前記電子機器が携帯電話から成ることを特徴とする請求項１乃至５のいずれか１に記載の電子機器の入力装置の放熱構造。
【発明の詳細な説明】
【０００１】
【発明の属する技術分野】
この発明は、電子機器の入力装置の放熱構造に係り、詳しくは、基板上に設けられた第１の導電層と非接触に対向して第２の導電層が内面に設けられた可撓性絶縁シートから構成されるクリック部材と、クリック部材を押圧して第１の導電層と第２の導電層とを電気的に接触させるためのキートップとを有する電子機器の入力装置の放熱構造に関する。
【０００２】
【従来の技術】
例えば携帯電話、ＰＤＡ（Ｐｅｒｓｏｎａｌ  Ｄｉｇｉｔａｌ  Ａｓｓｉｓｔａｎｔｓ：個人向け携帯型情報通信機器）、携帯用ＧＰＳ（Ｇｌｏｂａｌ  Ｐｏｓｉｔｉｏｎｉｎｇ  Ｓｙｓｔｅｍ）等の携帯用電子機器の入力装置として、利用者のクリック操作によりオン、オフを繰り返すように構成されているスイッチが広く用いられている。このようなクリック式のスイッチは、利用者が可撓性絶縁シートから構成されるクリック板シートを押圧（クリック）することで、対向する一対の接点（導電層）間を開閉してスイッチ動作を行うので操作が簡単となり、また、構造が単純なので故障が少ない、電子機器を構成する基板上で余分なスペースを占有しない等の利点を有しているため、上述したような携帯用電子機器に適している。ここで、上述のスイッチを用いる入力装置には、スイッチを上部から押圧するためのキートップが備えられていて、利用者はこのキートップを直接クリック操作することにより、操作されたスイッチのオン、オフが行われるように構成されている。
【０００３】
ところで、上述したような携帯用電子機器は、より携帯性を向上させるためにさらに小型化の方向に向かっているが、小型化に伴って電子機器の動作中に発生する熱の放熱対策が重要であり、また、発熱量は動作クロックの高周波化により大きくなるので、高周波化に向かう傾向にある携帯用電子機器では、放熱対策がますます重要になってきている。したがって、携帯用電子機器は、利用者が直接に手で触れて操作する製品である点で、異常発熱が生じて利用者に被害を及ぼすような事態を避けるために、放熱対策は急務となっている。
【０００４】
また、携帯用電子機器では、放熱性を改善するとともに、上述したようなキートップの表面に文字、記号、着色等の加飾を施して、いわゆる化粧を施して利用者に美的感覚を喚起させることにより、商品価値を高めようとする配慮が一般的なされている。したがって、放熱性を改善するとともに、キートップにいかに自由な加飾を施して商品価値を高めるかが課題になっている。
【０００５】
上述したような携帯用電子機器の入力装置の放熱構造（第１の従来例）が開示されている（例えば、特許文献１参照。）。同入力装置の放熱構造は、図５に示すように、装置本体１０１上にスイッチパネル１０２、サポートパネル１０３、メンブレンシート１０４、アクチュエータ１０５、リンク手段１０６、キートップ１０７等を設けた構成において、サポートパネル１０３及びメンブレンシート１０４を貫通するように穴１０８を設けて、この穴１０８に金属あるいは導電ゴムのような良熱伝導材料から成るピン１０９を挿入している。このような構成によれば、電子機器の動作中に発生した熱は、良熱伝導材料から成るピン１０９を通じて外部に放熱される。
【０００６】
また、他の構成の携帯用電子機器の入力装置の放熱構造（第２の従来例）が開示されている（例えば、特許文献２参照。）。同入力装置の放熱構造は、図６に示すように、筐体１１１にフィン１１２、プリント配線基板１１３、半導体集積回路装置１１４、キー入力部１１５等を設けた構成において、半導体集積回路装置１１４とキー入力部１１５との間に、アルミニウム（Ａｌ）、銅（Ｃｕ）等の熱伝導性の高い金属板、あるいはポリプロピレン樹脂、ＡＢＳ（アクリロニトリル・ブタジエン・スチレン）樹脂等の絶縁板から成る伝熱シート１１６を設けている。なお、符号１１５Ａはキートップ、符号１１５Ｂはフィン、符号１１５Ｃはキーベース部である。このような構成によれば、動作中に発生した熱は、フィン１１２、伝熱シート１１６等を通じて外部に放熱される。
【０００７】
【特許文献１】
特開平１１−１４９３３７号公報（第３頁、図１〜２）。
【特許文献２】
特開平０５−２９８９６１号公報（第３〜４頁、図１）。
【特許文献３】
実開平０２−０３８７７５号公報
【０００８】
【発明が解決しようとする課題】
しかしながら、特許文献１、２に開示されている携帯用電子機器の入力装置の放熱構造では、いずれもコストアップになるとともに小薄化が困難になり、さらに商品価値を高めることができない、という問題がある。
まず、特許文献１に開示されている第１の従来例では、図５に示したようにサポートパネル１０３及びメンブレンシート１０４を貫通するように穴１０８を設けて、この穴１０８に金属あるいは導電ゴムのような良熱伝導材料から成るピン１０９を放熱用部品として別に設けているので、この分コストアップになる。同様にして、特許文献２に開示されている第２の従来例でも、図６に示したように半導体集積回路装置１１４とキー入力部１１５との間にＡｌ、Ｃｕ等の熱伝導性の高い金属板、あるいはポリプロピレン樹脂、ＡＢＳ樹脂等の絶縁板から成る伝熱シート１１６を放熱用部品として別に設けているので、この分コストアップになる。
また、従来においては、一般に放熱性を改善するために、電子機器に実装する電子部品としては熱特性に優れた高価で大型な部品を選択する必要があり、安価で小型の電子部品を選択できないのでさらにコストアップになっている。
【０００９】
次に、第１及び第２の従来例に示されているような放熱用部品を用いるとその分高さが増えるので、小薄化が妨げられる。さらに、上述したように放熱性を向上させるために熱特性に優れた電子部品を選択しなければならない関係で、大型の電子部品を用いているため、小薄化はさらに困難になる。
例えば携帯電話のような携帯用電子機器では、小型化の要求が高まるにつれて製品の厚さをいかにして薄くするかが課題になってきており、このために各メーカにおいては構成部品の小薄化あるいは薄膜化にしのぎを削っている。しかしながら、上述したように余分な放熱用部品を用いたり、大型の電子部品を用いる必要性があるので、小薄化が困難になっている。
【００１０】
次に、従来においては前述したように放熱性の改善とともに、商品価値を高めることが課題となっているが、第１及び第２の従来例には、放熱性の改善だけが考慮されていて、商品価値を高めるために加飾層をどのように形成するかについては考慮されていない。
【００１１】
この発明は、上述の事情に鑑みてなされたもので、コストアップを避けるとともに小薄化を容易に実現することができ、さらに商品価値を高めることができるようにした電子機器の入力装置の放熱構造を提供することを目的としている。
【００１２】
【課題を解決するための手段】
上記課題を解決するために、請求項１記載の発明は、基板上に設けられた第１の導電層と非接触に対向して第２の導電層が内面に設けられた可撓性絶縁シートから構成されるクリック部材と、該クリック部材の外面に配置されて上記クリック部材を押圧して上記第１の導電層と上記第２の導電層とを電気的に接触させるためのキートップとを有する電子機器の入力装置の放熱構造に係り、上記キートップには、上記電子機器の動作中に発生した熱を放熱するための放熱層と、上記キートップに飾りを施すための加飾層とが積層して形成されていることを特徴としている。
【００１３】
また、請求項２記載の発明は、基板上に設けられた第１の導電層と非接触に対向して第２の導電層が内面に設けられた可撓性絶縁シートから構成されるクリック部材と、該クリック部材の外面に配置されて上記クリック部材を押圧して上記第１の導電層と上記第２の導電層とを電気的に接触させるためのキートップとを有する電子機器の入力装置の放熱構造に係り、上面に上記第１の導電層が設けられるとともに複数の電子部品が実装された上記基板と、上記基板上に接着されるとともに内面に上記第２の導電層が接着され、クリック動作可能に外面に突起部を備えた上記クリック部材と、上記クリック部材上に配置されて内面に上記突起部を押圧するための凸部を備えた弾力性のある絶縁性支持シートと、上記電子機器の動作中に発生した熱を放熱するための放熱層と、上記キートップに飾りを施すための加飾層とが積層して形成され、上記クリック部材を押圧するための上記キートップとを有することを特徴としている。
【００１４】
また、請求項３記載の発明は、請求項１又は２記載の電子機器の入力装置の放熱構造に係り、上記放熱層及び上記加飾層が、上記キートップの表面側に上記放熱層が上記キートップに接するように積層して形成されていることを特徴としている。
【００１５】
また、請求項４記載の発明は、請求項１又は２記載の電子機器の入力装置の放熱構造に係り、上記キートップが、透明材料から成ることを特徴としている。
【００１６】
また、請求項５記載の発明は、請求項４記載の電子機器の入力装置の放熱構造に係り、上記放熱層及び上記加飾層が、上記キートップの裏面側に上記加飾層が上記キートップに接するように積層して形成されていることを特徴としている。
【００１７】
また、請求項６記載の発明は、請求項１乃至５のいずれか１に記載の電子機器の入力装置の放熱構造に係り、上記電子機器が携帯電話から成ることを特徴としている。
【００１８】
【発明の実施の形態】
以下、図面を参照して、この発明の実施の形態について説明する。説明は、実施例を用いて具体的に行なう。
◇第１実施例
図１は、この発明の第１実施例である電子機器の入力装置の放熱構造が適用された携帯用電子機器の一例を示す斜視図、図２は同電子機器の入力装置の放熱構造を示す図１のＡ−Ａ矢視断面図、図３は同電子機器の入力装置の放熱構造が適用された携帯用電子機器を示す分解斜視図である。この例では、携帯用電子機器として携帯電話に適用した例で説明する。
この例の電子機器の入力装置の放熱構造は、例えば図１の携帯用電子機器１１に組み込まれて、図２あるいは図３に示すように、上面にＣｕ等の導電材料から成る固定接点（第１の導電層）１が設けられるとともに必要な複数の電子部品２が実装されたガラスエポキシ樹脂、セラミック等の絶縁材料から成る基板３と、この基板３上に接着され内面に固定接点１と非接触に対向してＣｕ等から成る可動接点（第２の導電層）４が接着され、クリック動作可能に外面に突起部５Ａを備えたＰＥＴ（ポリエチレン・テレフタレート）、ポリプロピレン、塩化ビニール等の可撓性絶縁シートから構成されるクリック板シート（クリック部材）５とを有している。ここで、クリック板シート５を基板３上に接着し、かつクリック板シート５の内面に可動接点４を接着するための接着剤６は、例えばシアノアクリレートを主剤としてこれにフェノール樹脂のような熱硬化性樹脂が添加された組成のものが用いられる。
【００１９】
この例の電子機器の入力装置の放熱構造は、図２に示すように、さらに、クリック板シート５上に配置されて内面にその突起部５Ａを押圧する凸部７Ａを備えたゴム等の弾力性のある絶縁性支持シート７と、絶縁性支持シート７上に接着剤により接着されてこの絶縁性支持シート７を介してクリック板シート５を押圧するための、ポリエステル、ポリカーボネート、ＡＢＳ樹脂等の絶縁材料、あるいはＡｌ等の金属材料から成るキートップ８とを有している。
【００２０】
ここで、キートップ８の表面側（操作面側）には、図２に示すように、膜厚が０．５〜５．０μｍのＡｌあるいはＡｌを主成分とする放熱層９と、この放熱層９を覆うように文字、記号、着色等の加飾を施して、利用者に美的感覚を喚起させることにより商品価値を高めようとする目的で、膜厚が８〜１２μｍの加飾層１０とが、この順序で積層して形成されている。放熱層９は、上述のＡｌあるいはＡｌを主成分とする導電材料を用いて、スクリーン印刷法、インクジェット印刷法、電子写真印刷法等の印刷法、スパッタ法、蒸着法等の物理的成膜法、あるいは塗装法等により形成される。加飾層１０は、例えばウレタン系の塗料が用いて、上述したような成膜手段により形成される。
【００２１】
このような構成の電子機器の入力装置の放熱構造によれば、利用者は加飾層１０に直接に手を触れてキートップ８を押圧して絶縁性支持シート７の凸部７Ａを介して対応した位置のクリック板シート５の突起部５Ａを押圧することにより、突起部５Ａが変形して可動接点４が下降して固定接点１に接触してスイッチがオンするので、オンされたスイッチの位置データが基板３から電子機器の制御部に入力されるので、制御部による制御の基に電子機器として所望の動作が行われるようになる。そして、このような電子機器の動作中に発生した熱は、主としてキートップ８の表面側にキートップ８に直接接して形成されている放熱層９を介して外部に放熱される。
【００２２】
次に、図３を参照して、この例の電子機器の入力装置の放熱構造が組み込まれる携帯用電子機器１１の構成を説明する。
携帯電子機器１１は、同図に示すように、予め上面にＣｕ等の導電材料から成る複数の固定接点１が設けられるとともに、複数の電子部品２が実装されたガラスエポキシ樹脂、セラミック等の絶縁材料から成り側面にコネクタ３Ａを備えた基板３と、予め内面に固定接点１と非接触に対向してＣｕ等から成る複数の可動接点４が接着され、クリック動作可能に外面に複数の突起部５Ａが形成されたＰＥＴ、ポリプロピレン、塩化ビニール等の可撓性絶縁シートから構成されるクリック板シート５と、予め内面にクリック板シート５の突起部５Ａを押圧するための複数の凸部７Ａが形成され、予め上面にクリック板シート５を押圧するための、ポリエステル、ポリカーボネート、ＡＢＳ樹脂等の絶縁材料、あるいはアルミニウム等の金属材料から成る複数のキートップ８が形成されたゴム等の弾力性のある絶縁性支持シート７と、予めキートップ８を挿入するための複数のキートップ挿入孔１３Ａが形成された、絶縁材料あるいは金属材料等からケース部１３と、ケース部１３の端部に固定されるべき液晶表示装置１２Ａ等を備える表示部１２とが、図示したような上下関係に配置される。
【００２３】
ここで、キートップ８の表面側には、図２に示したように、予め前述したような成膜手段により、膜厚が０．５〜５．０μｍのＡｌあるいはＡｌを主成分とする放熱層９と、この放熱層９を覆うように膜厚が８〜１２μｍの加飾層１０とがこの順序で積層して形成されている。
【００２４】
次に、図３の配置において、上述の組成の接着剤６を用いて、クリック板シート５を基板３上に接着して一体化して、ケース部１２内の下部に取り付ける。この場合、基板３の周辺部は、ケース部１２の内壁面に予め設けられている係止部（図示せず）により固定される。次に、複数のキートップ８を備えている絶縁性支持シート７を、クリック板シート５上に各凸部７Ａと各突起部５Ａとの対応するもの同士が対向するように位置決めする。この場合、絶縁性支持シート７の周辺部は、ケース部１２の内壁面に予め設けられている係止部（図示せず）により固定されることで、上述の位置決め状態が維持される。さらに、各キートップ８をケース部１３のキートップ挿入孔１３Ａに挿入する。次に、ケース部１３の端部に表示部１２を、各ガイド孔１２Ｂ、１３Ｂを利用してピン留めして両者を一体化することにより、表示部１２を開閉可能に組み立てて、図１に示すような携帯電子機器１１を完成させる。
【００２５】
この携帯電子機器１１を構成している基板３のコネクタ３Ａを介して、必要に応じて外部との信号のやり取りが行われる。このように携帯電子機器１１を組み立てる際には、製品が屋外で使用される機会が多いという性質上、ケース部１３の内部の各部品を外部雰囲気から保護することができるように、一般に防水構造が採用されている。すなわち、複数のキートップ８同士の防水を目的として、例えば各キートップ８の底部には各キートップ８同士を連結するラバーシート（図示せず）が設けられている。
【００２６】
上述したようなこの例の電子機器の入力装置の放熱構造によれば、キートップ８の表面側には、膜厚が０．５〜５．０μｍのＡｌあるいはＡｌを主成分とする放熱層９と、この放熱層９を覆うように膜厚が８〜１２μｍの加飾層１０とがこの順序で積層して形成されているので、電子機器の動作中に発生した熱は、主としてキートップ８の表面側に形成されている放熱層９を介して外部に放熱される。したがって、従来のように放熱用部品を別に設けなくとも、放熱性を改善することができるので、コストアップを避けることができる。また、これに伴い、電子機器に実装する電子部品としては熱特性に優れた高価で大型な部品を選択する必要がなくなり、安価で小型の電子部品を選択できるのでこの点でもコストアップにならない。
【００２７】
また、この例の電子機器の入力装置の放熱構造によれば、従来のように放熱用部品を用いないため高さが増えないので、小薄化が妨げられることはなくなる。さらに、この例では、キートップ８の表面側に形成されている放熱層９は、膜厚が０．５〜５．０μｍと極めて薄いので、電子機器の厚さには実質的に影響を与えることがない。また、上述のように電子機器に実装する電子部品としては熱特性に優れた大型な部品を選択する必要がなくなり、小型の電子部品を選択できるので小薄化を図ることができる。
【００２８】
また、この例の電子機器の入力装置の放熱構造によれば、加飾層１０は、放熱層９とは独立して形成されるので、その材料、膜厚等は加飾層として最適となるように自由な加飾を施すことができるため、商品価値を高めることができる。すなわち、この例によれば、放熱層９と加飾層１０とをそれぞれ最適の機能を発揮できるように構成することができる。
【００２９】
このように、この例の電子機器の入力装置の放熱構造によれば、基板３上に設けられた固定接点（第１の導電層）１と非接触に対向して可動接点（第２の導電層）４が内面に設けられた可撓性絶縁シートから構成されるクリック板シート５と、クリック板シート５の外面に配置されてクリック板シート５を押圧するためのキートップ８とを有する構成において、キートップ８の表面側（操作面側）には、膜厚が０．５〜５．０μｍのＡｌあるいはＡｌを主成分とする放熱層９と、この放熱層９を覆うようにキートップ８に飾りを施すための膜厚が８〜１２μｍの加飾層１０とが積層して形成されているので、放熱層９と加飾層１０とをそれぞれ最適の機能を発揮できるように構成することができる。
したがって、コストアップを避けるとともに小薄化を容易に実現することができ、さらに商品価値を高めることができる。
【００３０】
◇第２実施例
図４は、この発明の第２実施例である電子機器の入力装置の放熱構造の主要部を示す断面図である。この例の電子機器の入力装置の放熱構造の構成が、上述した第１実施例の構成と大きく異なるところは、キートップを透明材料により構成して加飾層及び放熱層をキートップの裏面側に形成するようにした点である。
この例の電子機器の入力装置の放熱構造は、図４に示すように、キートップ８はアクリル樹脂のような透明材料が用いられて、この裏面側には、膜厚が８〜１２μｍの加飾層１４と、この加飾層１４を覆うように膜厚が０．５〜５．０μｍのＡｌあるいはＡｌを主成分とする放熱層１５とが積層して形成されている。ここで、この例ではキートップ８が透明材料により構成されているので、キートップ８の裏面側に直接接するように加飾層１４が形成されている。これにより、利用者がキートップ８の操作面である表面側から見た場合、透明材料から成るキートップ８を通じて加飾層１４が直接見ることができるように構成されている。
【００３１】
加飾層１４は、第１実施例と略同様に、例えばウレタン系の塗料がスクリーン印刷法、インクジェット印刷法、電子写真印刷法等の印刷法、スパッタ法、蒸着法等の物理的成膜法、あるいは塗装法等により形成される。放熱層１５は、ＡｌあるいはＡｌを主成分とする導電材料が、上述したような成膜手段により形成される。
これ以外は、上述した第１実施例の構成と略同様である。それゆえ、図４において、図２の構成部分と対応する各部には、同一の番号を付してその説明を省略する。
【００３２】
上述したようなこの例の電子機器の入力装置の放熱構造によれば、キートップ８の裏面側には、膜厚が８〜１２μｍの加飾層１４と、この加飾層１４を覆うように膜厚が０．５〜５．０μｍのＡｌあるいはＡｌを主成分とする放熱層１５とがこの順序で積層して形成されているので、電子機器の動作中に発生した熱は、主としてキートップ８の裏面側に形成されている放熱層１５を介して外部に放熱される。したがって、従来のように放熱用部品を別に設けなくとも、放熱性を改善することができるので、コストアップを避けることができる。また、これに伴い、電子機器に実装する電子部品としては熱特性に優れた高価で大型な部品を選択する必要がなくなり、安価で小型の電子部品を選択できるのでこの点でもコストアップにならない。
【００３３】
また、この例の電子機器の入力装置の放熱構造によれば、従来のように放熱用部品を用いないため高さが増えないので、小薄化が妨げられることはなくなる。さらに、この例では、キートップ８の裏面側に形成されている放熱層１５は、膜厚が０．５〜５．０μｍと極めて薄いので、電子機器の厚さには実質的に影響を与えることがない。また、上述のように電子機器に実装する電子部品としては熱特性に優れた大型な部品を選択する必要がなくなり、小型の電子部品を選択できるので小薄化を図ることができる。
【００３４】
また、この例の電子機器の入力装置の放熱構造によれば、加飾層１４は、放熱層１５とは独立して形成されるので、その材料、膜厚等は加飾層として最適となるように自由な加飾を施すことができるため、商品価値を高めることができる。すなわち、この例によれば、加飾層１４と放熱層１５とをそれぞれ最適の機能を発揮できるように構成することができる。
【００３５】
このように、この例によっても、キートップの裏面側に加飾層及び放熱層を形成した点が異なるだけで、第１実施例と略同様な効果を得ることができる。
【００３６】
以上、この発明の実施例を図面により詳述してきたが、具体的な構成はこの実施例に限られるものではなく、この発明の要旨を逸脱しない範囲の設計の変更などがあってもこの発明に含まれる。例えば、放熱層としてはＡｌあるいはＡｌを主成分とする導電材料を用いる例で説明したが、これに限らず熱伝導性に優れた導電材料であればＣｕ、Ａｇ（銀）等あるいはこれらを主成分とする他の導電材料を用いることができる。また、加飾層あるいは放熱層の膜厚の範囲は一例を示したものであり、目的、用途等に応じて任意に変更することができる。また、携帯性の特徴を生かして防水構造を備えた携帯用電子機器に適用することにより、大きな効果が得られるが、携帯用電子機器に限らずに、金融機関における現金自動預払機、交通機関における自動券売機等の電子機器、あるいは工業用の各種機械等の入力装置、さらには腕時計等のその他の装置にも適用することができる。
【００３７】
【発明の効果】
以上説明したように、この発明の電子機器の入力装置の放熱構造によれば、基板上に設けられた第１の導電層と非接触に対向して第２の導電層が内面に設けられた可撓性絶縁シートから構成されるクリック部材と、クリック部材の外面に配置されてクリック部材を押圧するためのキートップとを有する構成において、キートップには、電子機器の動作中に発生した熱を放熱するための放熱層と、キートップに飾りを施すための加飾層とが積層して形成されているので、放熱層と加飾層とをそれぞれ最適の機能を発揮できるように構成することができる。
したがって、コストアップを避けるとともに小薄化を容易に実現することができ、さらに商品価値を高めることができる。
【図面の簡単な説明】
【図１】この発明の第１実施例である電子機器の入力装置の放熱構造が適用された携帯用電子機器の一例を示す斜視図である。
【図２】同電子機器の入力装置の放熱構造を示す図１のＡ−Ａ矢視断面図である。
【図３】同電子機器の入力装置の放熱構造が適用された携帯用電子機器を示す分解斜視図である。
【図４】この発明の第２実施例である電子機器の入力装置の放熱構造の主要部を示す断面図である。
【図５】従来の電子機器の入力装置の放熱構造（第１の従来例）の主要部を示す断面図である。
【図６】従来の電子機器の入力装置の放熱構造（第２の従来例）の主要部を示す断面図である。
【符号の説明】
１      固定接点（第１の導電層）
２      電子部品
３      基板
３Ａ      コネクタ
４      可動接点（第２の導電層）
５      クリック板シート（クリック部材）
５Ａ      突起部
６、１３      接着剤
７      絶縁性支持シート
７Ａ      凸部
８      キートップ
９、１５      放熱層
１０、１４      加飾層
１１      携帯用電子機器（携帯電話）
１２      表示部
１２Ａ      液晶表示装置
１２Ｂ、１３Ｂ      ガイド孔
１３      ケース部
１３Ａ      キートップ挿入孔
【図１】
2004311332.tif 000003
【図２】
2004311332.tif 000004
【図３】
2004311332.tif 000005
【図４】
2004311332.tif 000006
【図５】
2004311332.tif 000007
【図６】
2004311332.tif 000008